(57)【要約】【課題】内壁に凹部も凸部も有さない通常の外管に対して安定的に固定することができる管路内浄化装置を提供する。【解決手段】本発明の管路内浄化装置100はセパレータ200と、セパレータ固定部材500と、微生物を担持させるための担体400とを含む。セパレータ固定部材500は、一方のセパレータ接触部510Lと、他方のセパレータ接触部510Rと、管路接触部520L, 520Rとを含む。一方のセパレータ接触部510Lは、セパレータ200の幅方向の両側部の一方に接触し、他方のセパレータ接触部510Rは、セパレータ200の幅方向の両側部の他方に接触する。管路接触部520L, 520Rは、セパレータ接触部510L, 510Rとの間に設けられ、管路の上部内壁面に接触する。微生物を担持させるための担体400は、セパレータ200の内部に収容される。【選択図】図２
2016087491.tif 000002
【特許請求の範囲】
【請求項１】
管路内に設置される管路内浄化装置であって、
前記管路の下部内壁面に沿う面を有する支持部と、前記管路の内部を仕切り且つ孔が穿設された仕切部とを含むセパレータと、
前記セパレータの両側部の一方に接触する一方のセパレータ接触部と、前記両側部の他方に接触する他方のセパレータ接触部と、前記一方のセパレータ接触部と前記他方のセパレータ接触部との間に設けられ、かつ前記管路の上部内壁面に接触する管路接触部とを含むセパレータ固定部材と、
前記セパレータの内部に収容された、微生物を担持させるための担体と、
を含む、管路内浄化装置。
【請求項２】
前記セパレータ固定部材の前記管路接触部が、前記上部内壁面に沿う曲面を有する、請求項１に記載の管路内浄化装置。
【請求項３】
管路内に設置される管路内浄化装置であって、
前記管路の下部内壁面に沿う面を有する支持部と、前記管路の内部を仕切り且つ孔が穿設された仕切部とを含む複数のセパレータと、
前記複数のセパレータを互いに連結する継手部と、
前記継手部に設けられ、前記管路の上部内壁面に接触する管路接触部を含むセパレータ固定部と、
前記セパレータの内部に収容された、微生物を担持させるための担体と、
を含む、管路内浄化装置。
【請求項４】
前記継手部と前記セパレータ固定部とが一体成形されている、請求項３に記載の管路内浄化装置。
【請求項５】
前記管路接触部が、前記上部内壁面に沿う曲面を有する、請求項３または４に記載の管路内浄化装置。
【請求項６】
管路と、
前記管路の軸心方向に延在するように前記管路に設置された、請求項１から５のいずれか１項に記載の管路内浄化装置と、
を含む、管路内浄化システム。
【発明の詳細な説明】
【技術分野】
【０００１】
本発明は、管路内浄化装置および管路内浄化システムに関する。より具体的には、本発明は、微生物を担持させる担体を良好に固定することができる管路内浄化装置およびそれを用いた管路内浄化システムに関する。
【背景技術】
【０００２】
従来、汚水は管路により下水処理施設まで移送され、汚水の浄化処理はすべて下水処理施設で行われていた。そのため、下水処理施設では、浄化用設備に伴う設備費用または設備スペースが必要であった。
【０００３】
そのため、下水処理施設の負担を軽減するために、微生物を用いて管路内で汚水を浄化する方法が提案されている。たとえば、国際公開第２０１３／１７２２８８号パンフレット（特許文献１）には、外管が、間仕切りによって上部区画と下部区画に分けられた構造を有する管路内浄化装置が記載されている。下部区画には微生物担体が充填されている。この管路内浄化装置は、開口部が設けられた間仕切部を有することにより、汚水中の固形物の多くを上部区画により移送し、固形物中の含有割合の少ない汚水が下部区画に供給されるため、安定した汚水の浄化処理を行うことができる。さらに、管路内の水位に応じ、微生担体が汚水による浸漬と空気による曝露とを効率よく繰り返すことができる。
【先行技術文献】
【特許文献】
【０００４】
【特許文献１】国際公開第２０１３／１７２２８８号パンフレット
【発明の概要】
【発明が解決しようとする課題】
【０００５】
上記の管路内浄化装置において、外管は、その内壁から突起が突設されるように成形されている。間仕切りは、幅方向の両側から外管内壁の曲面に沿って延設された湾曲部を有しており、湾曲部は、外管内壁の突起に嵌合する形状に形成されている。このような嵌合によって、間仕切りは外管に固定される。
【０００６】
このように上記の管路内浄化装置では、外管自体に、間仕切りを固定するための突起が設けられなければならない。反対に、通常の外管、つまり内壁に凹部も凸部も有さない外管には安定して固定することはできない。
そこで、本発明の目的は、通常の外管に対して安定的に固定することができる管路内浄化装置を提供することにある。
【課題を解決するための手段】
【０００７】
本発明者は、管内を仕切る部材を管内で固定するための専用の固定部材を用いることによって、上記本発明の目的が達成されることを見出し、本発明を完成するに至った。
本発明は、以下の（１）から（２）および（３）から（５）に記載の管路内浄化装置と、（６）に記載の管路内浄化システムとを含む。
【０００８】
（１）
本発明の管路内浄化装置は、管路内に設置されるべきものである。管路内浄化装置は、セパレータと、セパレータ固定部材と、微生物を担持させるための担体とを含む。
セパレータは、支持部と仕切部とを含む。支持部は、管路の下部内壁面に沿う面を有する。仕切部は、管路の内部を仕切り且つ孔が穿設されている。
セパレータ固定部材は、一方のセパレータ接触部と、他方のセパレータ接触部と、管路接触部とを含む。一方のセパレータ接触部は、セパレータの幅方向の両側部の一方に接触し、他方のセパレータ接触部は、セパレータの幅方向の両側部の他方に接触する。管路接触部は、一方のセパレータ接触部と他方のセパレータ接触部との間に設けられ、管路の上部内壁面に接触する。
微生物を担持させるための担体は、セパレータの内部に収容される。
【０００９】
このように、セパレータ固定部材が、管路の下部内壁面上に配設されるべきセパレータと、管路の上部内壁面との間に介在するため、管路内浄化装置を、内壁に凹部も凸部も形成されていない通常の管路に対して安定的に固定することができる。
なお、管路の内壁面のうち、セパレータが配設される領域を下部内壁面、それ以外の領域を上部内壁面と称呼する。
【００１０】
（２）
セパレータ固定部材の管路接触部は、管路の上部内壁面に沿う曲面を有してよい。
【００１１】
この構成により、セパレータ固定部材の管路接触部と、管路の上部内壁面との接地面積を大きくとることができるため、管路内浄化装置を、管路に対してより安定的に固定することができる。
【００１２】
（３）
本発明の他の管路内浄化装置は、管路内に設置される管路内浄化装置である。この管路内浄化装置は、複数のセパレータと、継手部と、セパレータ固定部と、微生物を担持させるための担体とを含む。
セパレータは、支持部と仕切部とを含む。支持部は、管路の下部内壁面に沿う面を有する。仕切部は、管路の内部を仕切り且つ孔が穿設されている。
継手部は、複数のセパレータを互いに連結する。
セパレータ固定部は、継手部に設けられ、管路の上部内壁面に接触する管路接触部を含む。
微生物を担持させるための担体は、セパレータの内部に収容される。
【００１３】
このように、セパレータ固定部が、セパレータの連結部分において、管路の上部内壁面との間に介在するため、管路内浄化装置を、内壁に凹部も凸部も形成されていない通常の管路に対して安定的に固定することができる。
なお、継手部とセパレータ固定部とは、互いに別個独立した部材であってもよいし、一体的に成形されたものであってもよい。
【００１４】
（４）
継手部とセパレータ固定部とは一体成形されていてよい。
【００１５】
この構成によって、管路内浄化装置の固定作業が効率的となる。
【００１６】
（５）
管路接触部は、上部内壁面に沿う曲面を有してよい。
【００１７】
この構成により、セパレータ固定部材の管路接触部と、管路の上部内壁面との接地面積を大きくとることができるため、管路内浄化装置を、管路に対してより安定的に固定することができる。
【００１８】
（６）
本発明の管路内浄化システムは、管路と、上記（１）から（５）に記載の管路内浄化装置とを含む。管路内浄化装置は、管路の軸心方向に延在するように管路内に設置される。
【００１９】
この構成により、管路内浄化装置が管路に対して安定的に固定された管路内浄化システムとなる。
【図面の簡単な説明】
【００２０】
【図１】第１実施形態の管路内浄化装置を用いた管路内浄化システムの模式図である。
【図２】図１の管路内浄化装置（一部）の模式的外観斜視図である。
【図３】図２のIII−III線を含む面で切断した場合の模式的断面図である。
【図４】図１の管路内浄化装置のセパレータ固定部材を管内に配設する前の模式的断面図である。
【図５】図１の管路内浄化装置のセパレータ同士を連結する継手の模式的外観斜視図である。
【図６】第２実施形態の管路内浄化装置の模式的外観斜視図である。
【図７】第３実施形態の管路内浄化装置の模式的外観斜視図である。
【図８】第４実施形態の管路内浄化装置の模式的外観斜視図である。
【図９】第５実施形態の管路内浄化装置の模式的外観斜視図である。
【図１０】第６実施形態の管路内浄化装置の要部の模式的分解図である。
【図１１】第６実施形態の管路内浄化装置の模式的外観斜視図である。
【図１２】第７実施形態の管路内浄化装置の模式的断面図である。
【図１３】第８実施形態の管路内浄化装置の模式的断面図である。
【図１４】第９実施形態の管路内浄化装置の模式的断面図である。
【図１５】第１変形例の管路内浄化装置の模式的外観斜視図である。
【図１６】第２変形例の管路内浄化装置の模式的断面図である。
【図１７】第３変形例の管路内浄化装置の模式的断面図である。
【図１８】第４変形例の管路内浄化装置の模式的断面図である。
【発明を実施するための形態】
【００２１】
以下、図面を参照しつつ、本発明の実施の形態について説明する。以下の説明では、同一の要素には同一の符号を付しており、それらの名称および機能も同じである。したがって、それらについての詳細な説明は繰り返さない。
【００２２】
［第１実施形態］
図１は、第１実施形態の管路内浄化装置を用いた管路内浄化システムの模式図である。図２は、図１の管路内浄化装置（一部）の模式的外観斜視図である。図３は、図２のIII−III線を含む面で切断した場合の模式的断面図である。なお、以下においては、便宜上、図３の上側への方向を上、下側への方向を下として説明する。これらの方向（上下方向）は、管路内浄化装置の使用時における絶対的方向におおよそ一致するが、必ずしも管路内浄化装置の製造時における絶対的方向をいうものではない。また、図３の左右端部に相当する部分を、両側部と記載することがある。
【００２３】
［基本構成］
図１に示す管路内浄化システム９００は、管路９１０と、管路９１０内に設けられた管路内浄化装置１００とを含む。管路内浄化装置１００は、図２および図３に示すように、セパレータ２００と、微生物を担持すべき担体４００と、セパレータ固定部材５００とを含む。
【００２４】
［セパレータ］
セパレータ２００は、管路９１０（図１参照）の軸心方向に延在する、一定の断面形状を有する長尺体である。セパレータ２００の当該軸心方向の長さは、管路９１０の長さに対応する。（図２においては、便宜上、この長尺体の一部を表示している。）図２および図３に示すように、セパレータ２００は、支持部２１０と仕切部２５０とから構成される。支持部２１０と仕切部２５０とは、一体形成されている。図３に示すように、セパレータ２００の断面形状は、管路９１０の軸心Ｏと管路９１０の最下点を通る直線を軸として線対称である。
【００２５】
支持部２１０は、図３に示すように、凹曲面２１１と、凸曲面２１２とを有する。凹曲面２１１および凸曲面２１２はいずれも断面円弧状であり、湾曲板形状を構成する。凹曲面２１１には、担体４００が固定されている。凸曲面２１２は、管路９１０の内壁面の一部に沿う。これによって、セパレータ２００を管路９１０の下部内壁面に沿って設置することができる。さらに、支持部２１０は、管路９１０の最下点付近で欠失部２１５を有する。欠失部２１５は、セパレータ２００の延在方向全体にわたって形成されている。これによって、欠失部２１５からセパレータ２００内部へ担体４００を配設可能であるため、担体４００の配設作業が容易になる。
【００２６】
仕切部２５０は、透水孔２５４（後述）が形成された変形板状の有孔部材である。仕切部２５０は、図３に示すように、管路内浄化装置１００が管路９１０内に設けられた場合に、管路９１０内の空間を、下部の浄化部９１１と上部の流量確保部９１５とに分ける。仕切部２５０は、左右両側部より中央部（つまり対象軸上の部分）が下位となる形状で構成される。本実施形態においては、仕切部２５０は、対称軸上に流速確保部２５１を有し、対称軸に近い方から遠い方に向かって、一対の平面部２５３、および一対の傾斜部２５５がこの順で形成される。一対の平面部２５３、および一対の傾斜部２５５は、それぞれ、セパレータ２００の延在方向に並行して列設される。
【００２７】
仕切部２５０の中央部の最も低い部分を構成する流速確保部２５１は、図３に示すように、仕切部２５０の中央部の最も低い部分を構成し、その断面形状は下に凸となるように湾曲している。このような湾曲形状により、管路内の少量排水時における流速を確保する。
【００２８】
平面部２５３には、図３に示すように、透水孔２５４が穿設されている。透水孔２５４は、流量確保部９１５内の排水が流速確保部２５１の容量を超えた場合に、浄化部９１１へ排水を排出する。透水孔２５４は、セパレータ２００の延在方向に沿って複数設けられている（図１参照）。これにより、セパレータ２００に透水性を付与する。また、平面部２５３は水平方向に平坦であるため、製造時において、透水孔２５４の穿設の作業性が良い。
【００２９】
傾斜部２５５は、図３に示すように、平面部２５３から管路９１０内壁に向かい、当該内壁面に漸次沿う形状で立ち上がるように形成される。これによって、流量確保部９１５内の排水を浄化部９１１へ導きやすいとともに、仕切部２５０と管路９１０内壁との間に詰まりが生じることも防止しやすい。なお、本実施形態では、傾斜部２５５の形状は平坦であるが、図３に示した傾斜部２５５の平坦面より下方向に凸となるように、平面部２５３から滑らかに連続する湾曲形状を有する湾曲傾斜であってもよい。
【００３０】
支持部２１０および仕切部２５０が上述のように構成されることにより、セパレータ２００は、図３に示すように、管路９１０内に設けられた場合に、管路９１０内部空間の中心よりも下側の一部を占めるように形成される。つまり、セパレータ２００の最上点が、管路９１０の軸心Ｏの水平位置から落差Ｅを隔てて下に位置するように形成される。落差Ｅを隔てることにより、管路９１０内への設置が容易となる。
【００３１】
セパレータ２００は、樹脂で構成されることができる。樹脂の例としては、塩化ビニル系樹脂、オレフィン系樹脂などの熱可塑性樹脂、および、エポキシ系樹脂、不飽和ポリエステル系樹脂などの熱硬化性樹脂が挙げられる。樹脂は、ガラス繊維、カーボン繊維などの繊維材料で強化された、複合材つまりＦＲＰ（繊維強化プラスチック）の態様であってもよい。
セパレータ２００の製造には、樹脂の種類に応じた製造方法が選択される。たとえば、熱可塑性樹脂の場合は押出成形によって製造することができる。この場合、出口形状がセパレータ２００の断面形状と同一である金型を用いた押出成形により製造することができる。その他、たとえば、出口形状が、欠失部２１５が無い支持部２１０と仕切部２５０とから構成される閉断面である金型を用いて押出し、その後、欠失部２１５を切欠形成することによって製造してもよいし、出口形状が環状である金型を用いて押出し、その後、欠失部２１５が無い支持部２１０と仕切部２５０とから構成される閉断面形状にフォーミングし、欠失部２１５の切欠形成を行うことにより製造してもよい。またたとえば、熱硬化性樹脂およびＦＲＰの場合、ハンドレイアップ法、引き抜き成形法などによって製造することができる。
【００３２】
［担体］
担体４００は、管路９１０（図１参照）の軸心方向に延在する幅広の長尺体である。担体４００の当該軸心方向の長さは、管路９１０の長さに対応する。担体４００としては、比表面積が大きい構造体を特に限定されることなく用いられる。たとえば、多孔質材料（たとえば、無機質多孔体、無機質発泡体、樹脂発泡体など）、繊維質材料（たとえば、不織布、織布、単繊維体、網状体など）、層状材料（たとえば、シート積層体など）が挙げられる。多孔質材料の微細孔は連続孔であることが好ましい。本実施形態では、樹脂の発泡体が用いられる。樹脂としては、オレフィン系樹脂（特にポリエチレン）、ウレタン樹脂、塩化ビニル系樹脂、アクリル系樹脂などが挙げられる。
【００３３】
担体４００の形状は、特に限定されず、本実施形態においては断面長方形の長尺体である。なお、担体４００は、たとえば接着剤でセパレータ２００に固定することによって、セパレータ２００内に収容することができる。
【００３４】
担体４００は、浄化部９１１空間内の最狭部の高さＮを確保できる位置で固定される。浄化部９１１空間内の最狭部が高さＮを確保することは、担体４００と仕切部２５０との間での詰まりを防止する観点で好ましい。
【００３５】
管路９１０内における担体４００の大きさ（図３中の幅ｗおよび高さｈ）は、浄化効率を考慮して適宜決定することができる。本実施形態では、幅ｗは、管路９１０の内周長の１０％であり、高さｈは、管路９１０の内周長の２％である。
【００３６】
管路９１０内において、担体４００は、軸心Ｏと管路９１０の最下位置とを結ぶ面に関して対向して配設される。管路９１０内における担体４００の配設位置は、浄化効率などを考慮して決定することができる。たとえば、担体４００の離間距離ｉが、管路９１０の内周の１０％以上４０％以下となるように配設されてよい。離間距離ｉが当該下限値以上であることは、浄化部９１１の水位が低い場合であっても浄化部９１１内の流速を確保する点、担体４００を空気に接触させる点、および詰まり防止の点などから好ましく、当該上限値以下であることは、水位が上がった場合に担体４００を排水に有効に接触させ、良好な浄化効率を得る観点で好ましい。
【００３７】
［セパレータ固定部材］
図１および図３に示すように、セパレータ固定部材５００は、セパレータ２００と管路９１０の上部内壁面との間に介在し、セパレータ２００を管路９１０の下部内壁面に固定する形状で構成される。
図３に示すように、セパレータ固定部材５００は、管路９１０の上部内壁面におおよそ沿う形状を有し、その断面形状は、セパレータ２００と同じ対称軸に対して線対称である。セパレータ固定部材５００は、その両端部に配置されたセパレータ接触部５１０Ｌ，５１０Ｒと、セパレータ接触部５１０Ｌ，５１０Ｒ間に配置された管路接触部５２０Ｌ，５２０Ｒとを含む。
【００３８】
セパレータ接触部５１０Ｌ，５１０Ｒは、セパレータ２００の両側部の表面に沿う形状に形成され、当該両側部に接触する。管路接触部５２０Ｌ，５２０Ｒは、それぞれ、セパレータ接触部５１０Ｌ，５１０Ｒに連設されており、管路９１０の上部内壁面に沿う曲面を有する湾曲板状に形成され、当該上部内壁面に接触する。
【００３９】
このように、セパレータ固定部材５００は、セパレータ２００と管路９１０の上部内壁面との間に介在し、セパレータ接触部５１０Ｌ，５１０Ｒと管路接触部５２０Ｌ，５２０Ｒとにおいてそれぞれセパレータ２００と管路９１０の上部内壁面とに接触することにより、セパレータ２００を管路９１０内に固定することができる。本実施形態では、上述のとおり、セパレータ２００が管路９１０内において、管路９１０内部空間の中心よりも下側の一部を占めるように形成されているため、セパレータ２００が施工されるべき図３における位置からの周方向への移動および／または上方向への移動を防止する点で好ましい。これによって、管路内浄化装置１００の使用中における性能を安定的に確保することができる。
【００４０】
図４に、管路９１０内に配設する前のセパレータ固定部材５００の模式的断面図を示す。図４に示すように、セパレータ固定部材５００は、セパレータ接触部５１０Ｌ，５１０Ｒの少なくとも一部および管路接触部５２０Ｌ，５２０Ｒの少なくとも一部が管路９１０の内壁よりも外側にはみ出す形状で成形されていることが好ましい。たとえば、管路接触部５２０Ｌ，５２０Ｒは、管路９１０の上部内壁と同じまたはそれより大きい曲率半径を有する湾曲形状であり、セパレータ接触部５１０Ｌ，５１０Ｒが、それらが接触すべきセパレータ２００の両側部幅よりも離間するように成形されていてよい。
【００４１】
図４に示すセパレータ固定部材５００は、予めセパレータ２００が収容された管路９１０内に設置される場合、セパレータ接触部５１０Ｌ，５１０Ｒを、セパレータ２００の両側部幅よりもさらに近接するように可撓変形された後に、管路９１０内に進入させられる。この可撓変形の時、セパレータ固定部材５００の変形による上下方向の幅の増大が、予めセパレータ２００が収容された管路９１０内への進入を妨げないように、セパレータ固定部材５００の最上部（管路接触部５２０Ｌ，５２０Ｒの間）に、非接触部５３０が設けられることが好ましい。非接触部５３０は、管路９１０内において、管路９１０の上部内壁面に接触しない形状（本実施形態では平板形状）で構成されればよい。
【００４２】
上記のようにセパレータ固定部材５００が構成されることにより、管路９１０内に嵌装された場合に、管路接触部５２０Ｌ，５２０Ｒおよびセパレータ接触部５１０Ｌ，５１０Ｒが、それぞれ、管路９１０の上部内壁面およびセパレータ２００両側部に対して突っ張る負荷がかかり、セパレータ２００を安定的に固定することができる。
【００４３】
しかしながら、本発明は、管路９１０内に配設される前において、セパレータ固定部材５００が必ずしも図４のように管路９１０の内壁よりも外側にはみ出す形状で成形されていることを要さず、図３に示された形状（管路９１０内に収まる形状）で成形されていても構わない。
【００４４】
なお、管路接触部５２０Ｌ，５２０Ｒと管路９１０の上部内壁面との間、および／またはセパレータ接触部５１０Ｌ，５１０Ｒとセパレータ２００両側部との間には、接着剤が介在させられていることが好ましいが、本発明は、接着剤が介在させられていない態様を特に除外するものではない。
【００４５】
セパレータ固定部材５００は、樹脂で構成されることができる。樹脂は、セパレータ２００を構成する樹脂と同じであってもよいし、異なっていてもよい。樹脂の例としては、塩化ビニル系樹脂、オレフィン系樹脂などの熱可塑性樹脂、および、エポキシ系樹脂、不飽和ポリエステル系樹脂などの熱硬化性樹脂が挙げられる。樹脂は、ガラス繊維、カーボン繊維などの繊維材料で強化された、複合材つまりＦＲＰ（繊維強化プラスチック）の態様であってもよい。
セパレータ固定部材５００の製造には、樹脂の種類に応じた製造方法が選択される。たとえば、熱可塑性樹脂の場合は射出成形によって製造することができる。熱硬化性樹脂およびＦＲＰの場合は、ハンドレイアップ法、ＲＴＭ成形法などによって製造することができる。
【００４６】
［セパレータ継手］
図５に、セパレータ２００同士を連結する継手５５０の外観斜視図を示す。継手５５０は、第１内挿部５５１と、第１内挿部５５１に連設された第２内挿部５５３と、第１内挿部５５１および第２内挿部５５３の境界部分に形成された突部５５５とを含む。
【００４７】
第１内挿部５５１は、連結されるべきセパレータ２００のうち一方のセパレータ２００の端部の内部に挿入可能であり、第２内挿部５５３は、他方のセパレータ２００の端部の内部に挿入可能である。いずれも、セパレータ２００の端部内へ嵌合されるよう、仕切部２５０の流速確保部２５１、一対の平面部２５３、および一対の傾斜部２５５に沿った形状を有する変形板状部を有し、さらに、当該変形板状部の両側部から、支持部２１０に沿う形状の湾曲板状部が、担体４００の妨げにならない程度の長さで延設されている。
【００４８】
突部５５５は、セパレータ２００の内部から外部に向かう方向に凸となる突条として形成されている。セパレータ２００同士の連結は、第１内挿部５５１および第２内挿部５５３が、セパレータ２００の端部内に嵌め合わされ、セパレータ２００の端面が突部５５５に当接するまで挿入されることによりなされる。本実施形態においては、セパレータ２００同士が継手５５０により連結された場合、セパレータ２００表面（特に仕切部２５０の上面）と突部５５５の頂面とが面一となるため、排水の流れを妨げない。
【００４９】
なお、継手５５０とセパレータ２００との接触部分には、接着剤が介在させられていることが好ましいが、本発明は、接着剤が介在させられていない態様を特に除外するものではない。
【００５０】
また、本実施形態においては、図２に示したように管路接触部５２０Ｌ，５２０Ｒおよび非接触部５３０の太さ（セパレータ２００の延在方向の幅）は一様に形成されていてもよいが、後述の第５実施形態（後述図９参照）のように、管路接触部５２０Ｌ，５２０Ｒの当該太さが、セパレータ２００両側部から最上部の非接触部５３０に近づくにつれ大きくなるように形成されてもよい。
【００５１】
継手５５０は、樹脂で構成されることができる。樹脂は、セパレータ２００を構成する樹脂および／またはセパレータ固定部材５００を構成する樹脂と同じであってもよいし、異なっていてもよい。樹脂の例としては、塩化ビニル系樹脂、オレフィン系樹脂などの熱可塑性樹脂、および、エポキシ系樹脂、不飽和ポリエステル系樹脂などの熱硬化性樹脂が挙げられる。樹脂は、ガラス繊維、カーボン繊維などの繊維材料で強化された、複合材つまりＦＲＰ（繊維強化プラスチック）の態様であってもよい。
継手５５０の製造には、樹脂の種類に応じた製造方法が選択される。たとえば、熱可塑性樹脂の場合は射出成形によって製造することができる。熱硬化性樹脂およびＦＲＰの場合は、ハンドレイアップ法、ＲＴＭ成形法などによって製造することができる。
【００５２】
［他の実施形態］
以下、セパレータ固定部材５００の変形形状を有する第２実施形態から第９実施形態について説明する。これら他の実施形態においては、主に第１実施形態と異なる点について説明し、同じ点については基本的に説明を省略する。なお、本発明においては、第１実施形態から第９実施形態は、任意に組み合わされてよい。
【００５３】
［第２実施形態］
図６は、第２実施形態の管路内浄化装置の模式的外観斜視図である。図６に示す管路内浄化装置１００ａでは、セパレータ固定部材（セパレータ固定部５００ａ）とセパレータ継手（継手部５５０ａ）とが一体化している。継手部５５０ａは、セパレータ２００を連結している。
【００５４】
継手部５５０ａは、第１実施形態の継手５５０（図５参照）と同様の基本形状を有しており、第１内挿部５５１と、第２内挿部５５３と、突部５５５ａとを含む。継手部５５０ａの突部５５５ａの両側部それぞれを基端とし、突部５５５ａと閉断面を構成するようにセパレータ固定部５００ａが形成されている。セパレータ固定部５００ａは、第１実施形態のセパレータ固定部材５００におけるセパレータ接触部５１０Ｌ，５１０Ｒ（図２参照）が省略されることを除いて、セパレータ固定部材５００と同様の基本構造を有しており、継手部５５０ａの両側部をそれぞれ基端とし且つ管路９１０（図３参照）の上部内壁の周方向における一部に接触する管路接触部５２０ａＬ，５２０ａＲと、管路接触部５２０ａＬ，５２０ａＲの間に設けられた非接触部５３０ａとを含む。管路接触部５２０ａＬ，５２０ａＲおよび非接触部５３０ａの太さ（セパレータ２００の延在方向の幅）は一様に形成されており、突部５５５ａの太さと同等である。
【００５５】
管路内浄化装置１００ａでは、継手部５５０ａがセパレータ２００と接続されるとともに、継手部５５０ａと一体的に形成されたセパレータ固定部材が管路接触部５２０ａＬ，５２０ａＲにおいて管路上部内壁面の一部に接触し、継手部５５０ａを介して間接的にセパレータ２００を固定する。
【００５６】
［第３実施形態］
図７は、第３実施形態の管路内浄化装置の模式的外観斜視図である。図７に示す管路内浄化装置１００ｂは、第２実施形態の管路内浄化装置１００ａと同様に、セパレータ固定部材（セパレータ固定部５００ｂ）とセパレータ継手（継手部５５０ａ）とが一体化している。
【００５７】
セパレータ固定部５００ｂには、第２実施形態の管路内浄化装置１００ａのセパレータ固定部５００ａ（図６参照）と異なり上部の非接触部５３０ａが形成されていない。セパレータ固定部５００ｂには、管路９１０（図３参照）上部内壁面の周方向全体に沿う曲面を有する管路接触部５２０ｂが形成されている。したがって、管路９１０上部内壁面への接地面積をより大きくとることができる点で、継手部５５０ａを介したセパレータ２００の固定がより安定的となる。
【００５８】
［第４実施形態］
図８は、第４実施形態の管路内浄化装置の模式的外観斜視図である。図８に示す管路内浄化装置１００ｃは、第２実施形態の管路内浄化装置１００ａと同様に、セパレータ固定部材（セパレータ固定部５００ｃ）とセパレータ継手（継手部５５０ａ）とが一体化している。
【００５９】
セパレータ固定部５００ｃには、第２実施形態の管路内浄化装置１００ａのセパレータ固定部５００ａ（図６参照）と異なり上部の非接触部５３０ａが形成されず欠失している。セパレータ固定部５００ｃには、第２実施形態の管路内浄化装置１００ａのセパレータ固定部５００ａと同様に、管路９１０（図３参照）上部内壁面の周方向の一部に沿う曲面を有する管路接触部５２０ｃＬ，５２０ｃＲが形成されている。本実施形態ではセパレータ固定部５００ｃの上部が欠失しているため、管路９１０内へ設置が容易である点で好ましい。
【００６０】
［第５実施形態］
図９は、第５実施形態の管路内浄化装置の模式的外観斜視図である。図９に示す管路内浄化装置１００ｄでは、第２実施形態の管路内浄化装置１００ａ（図６参照）と同様に、セパレータ固定部材（セパレータ固定部５００ｄ）とセパレータ継手（継手部５５０ａ）とが一体化している。
【００６１】
管路内浄化装置１００ｄでは、管路９１０（図３参照）の上部内壁面の周方向の一部に沿う管路接触部５２０ｄＬ，５２０ｄＲの太さ（セパレータ２００の延在方向の幅）が、継手部５５０ａから最上部の非接触部５３０ｄに近づくにつれ大きくなるように形成される。これによって、管路９１０への接地面積をより効率的に確保することができ、管路内浄化装置１００ｄをより安定的に固定することができる。
【００６２】
なお、セパレータ固定部５００ｄは、第３実施形態と同様に、非接触部５３０ｄが形成されずに管路９１０の上部内壁面の周方向全体に沿う曲面を有してもよいし、第４実施形態と同様に、非接触部５３０ｄが形成されず欠失していてもよい。
【００６３】
［第６実施形態］
図１０は、第６実施形態の管路内浄化装置の要部の模式的分解図である。図１０には、継手部５５０ｅとセパレータ固定部５００ｅとを示す。継手部５５０ｅとセパレータ固定部５００ｅとは、別個独立した部材である。図１１は、第６実施形態の管路内浄化装置１００ｅの模式的外観斜視図である。
【００６４】
継手部５５０ｅは、第１実施形態の継手５５０（図５参照）と同様の第１内挿部５５１および第２内挿部５５３と、それらの境界部に形成された突部５５５ｅとを含む。突部５５５ｅは、セパレータ２００の内部から外部に向かう方向に凸となる突条として形成されているが、継手部５５０ｅの両側部において欠失部５５６Ｌ，５５６Ｒを生じている。
【００６５】
セパレータ固定部５００ｅは、継手部５５０ｅの両側部に接触する継手接触部５０６Ｌ，５０６Ｒと、継手接触部５０６Ｌ，５０６Ｒ間に配置された管路接触部５２０ａＬ，５２０ａＲとを含む。継手接触部５０６Ｌ，５０６Ｒは、継手部５５０ｅにおける突部５５５ｅの欠失部５５６Ｌ，５５６Ｒを補填する形状に形成されている。
管路接触部５２０ａＬ，５２０ａＲは、第２実施形態のセパレータ固定部５００ａ（図６参照）と同様であり、さらに同様に、管路接触部５２０ａＬ，５２０ａＲ間には非接触部５３０ａが設けられている。あるいは、第５実施形態のセパレータ固定部５００ｄ（図９参照）のように、管路接触部５２０ａＬ，５２０ａＲの太さ（セパレータ２００の延在方向の幅）が、継手部５５０ｅから最上部の非接触部５３０ａに近づくにつれ大きくなるように形成されてもよい。
【００６６】
継手部５５０ｅがセパレータ２００と接続された場合、セパレータ２００の端面および欠失部５５６Ｌ，５５６Ｒは、凹所を形成する。この凹所に、セパレータ固定部５００ｅの継手接触部５０６Ｌ，５０６Ｒを嵌合することができる。これによって、継手部５５０ｅとセパレータ固定部５００ｅとが別個独立した部材であっても互いに安定的に結合することができる。また、管路接触部５２０ａＬ，５２０ａＲは、管路９１０の上部内壁面に接触する。したがって、継手部５５０ｅを介して間接的にセパレータ２００を固定することができる。
【００６７】
セパレータ固定部５００ｅは、第１実施形態のセパレータ固定部材５００（図４参照）と同様に、継手接触部５０６Ｌ，５０６Ｒの少なくとも一部および管路接触部５２０ａＬ，５２０ａＲの少なくとも一部が管路９１０の内壁よりも外側にはみ出す形状で成形されていてもよい。たとえば、管路接触部５２０ａＬ，５２０ａＲは、管路９１０の上部内壁と同じまたはそれより大きい曲率半径を有する湾曲形状であり、継手接触部５０６Ｌ，５０６Ｒが、それらが接触すべき継手部５５０ｅの両側部幅よりも離間するように成形されていてよい。
【００６８】
このように形成されたセパレータ固定部５００ｅは、継手部５５０ｅによって連結された状態のセパレータ２００が予め収容された管路９１０内に設置される場合、継手接触部５０６Ｌ，５０６Ｒは、継手部５５０ｅの両側部幅よりもさらに近接するように可撓変形された後に管路９１０内に進入させられ、その後、セパレータ２００の端面および欠失部５５６Ｌ，５５６Ｒによって形成された凹所に嵌合させられてよい。
【００６９】
しかしながら、本発明は、管路９１０内に配設される前において、セパレータ固定部５００ｅが必ずしも上記のように管路９１０の内壁よりも外側にはみ出す形状で成形されていることを要さず、図１１に示された形状（管路９１０内に収まる形状）で成形されていても構わない。
【００７０】
なお、管路接触部５２０ａＬ，５２０ａＲと管路９１０の上部内壁面との間、継手接触部５０６Ｌ，５０６Ｒと継手部５５０ｅ両側部との間、および／または継手部５５０ｅとセパレータ２００との接触部分には、接着剤が介在させられていることが好ましいが、本発明は、接着剤が介在させられていない態様を特に除外するものではない。
【００７１】
［第７実施形態］
図１２は、第７実施形態の管路内浄化装置の模式的断面図であり、第１実施形態の図３に対応する。図１２に示す管路内浄化装置１００ｆは、セパレータ固定部材５００ｆの断面形状が異なることを除いて、第１実施形態の管路内浄化装置１００と同様である。
【００７２】
図１２に示すように、セパレータ固定部材５００ｆは、管路９１０の上部内壁面におおよそ沿う形状を有し、その断面形状は、セパレータ２００と同じ対称軸に対して線対称である。セパレータ固定部材５００ｆは、その両端部に配置されたセパレータ接触部５１０ｆＬ，５１０ｆＲと、セパレータ接触部５１０ｆＬ，５１０ｆＲ間に非接触部５３０ｆＬ，５３０ｆＲを介して配置された管路接触部５２０ｆとを含む。
【００７３】
セパレータ接触部５１０ｆＬ，５１０ｆＲは、セパレータ２００の両側部の表面に沿う形状に形成され、当該両側部に接触する。
非接触部５３０ｆＬ，５３０ｆＲは、セパレータ接触部５１０ｆＬ，５１０ｆＲの断面視中央部をそれぞれ基端として連設され、管路９１０上部内壁に接触しない形状（本実施形態では平板形状）に形成されている。この場合、非接触部５３０ｆＬ，５３０ｆＲを手で掴んだ状態で、セパレータ固定部材５００ｆを管路９１０内へ進入させ易い。
【００７４】
管路接触部５２０ｆは、非接触部５３０ｆＬ，５３０ｆＲ間に連設され、対称軸を含む管路９１０の上部内壁面に接触するよう、当該上部内壁面に沿う曲面を有する湾曲板状に形成されている。
【００７５】
セパレータ固定部材５００ｆは、第１実施形態のセパレータ固定部材５００（図４参照）と同様に、セパレータ接触部５１０ｆＬ，５１０ｆＲの少なくとも一部が管路９１０の内壁よりも外側にはみ出す形状で成形されていてもよい。たとえば、非接触部５３０ｆＬと非接触部５３０ｆＲとが成す角度が図１２に示されるものより大きく、セパレータ接触部５１０ｆＬ，５１０ｆＲが、それらが接触すべきセパレータ２００の両側部幅よりもさらに離間するように成形されてよい。
あるいは、セパレータ接触部５１０ｆＬ，５１０ｆＲの少なくとも一部および管路接触部５２０ｆの一部が管路９１０の内壁よりも外側へはみ出す形状に形成されていてもよい。たとえば、管路接触部５２０ｆの接触面が、管路９１０の内壁よりも大きな曲率半径を有する湾曲形状であり、セパレータ接触部５１０ｆＬ，５１０ｆＲが、それらが接触すべきセパレータ２００の両側部幅よりも離間するように成形されていてよい。
【００７６】
このように形成されたセパレータ固定部材５００ｆは、予めセパレータ２００が収容された管路９１０内に設置される場合、セパレータ接触部５１０ｆＬ，５１０ｆＲを、セパレータ２００の両側部幅よりもさらに近接するように可撓変形された後に、管路９１０内に進入させられる。
【００７７】
しかしながら、本発明は、管路９１０内に配設される前において、セパレータ固定部材５００ｆが必ずしも上記のように管路９１０の内壁よりも外側にはみ出す形状で成形されていることを要さず、図１２に示された形状（管路９１０内に収まる形状）で成形されていても構わない。
【００７８】
なお、管路接触部５２０ｆと管路９１０の上部内壁面との間、および／またはセパレータ接触部５１０ｆＬ，５１０ｆＲとセパレータ２００両側部との間には、接着剤が介在させられていることが好ましいが、本発明は、接着剤が介在させられていない態様を特に除外するものではない。
【００７９】
また、本実施形態においては、非接触部５３０ｆＬ，５３０ｆＲおよび管路接触部５２０ｆの太さ（セパレータ２００の延在方向の幅）は一様に形成されていてもよいし、第５実施形態（図９参照）と同様に、非接触部５３０ｆＬ，５３０ｆＲの当該太さがセパレータ２００両側部から最上部の管路接触部５２０ｆに近づくにつれ大きくなるように形成されてもよい。
【００８０】
［第８実施形態］
図１３は、第８実施形態の管路内浄化装置の模式的断面図であり、第１実施形態の図３に対応する。図１３に示す管路内浄化装置１００ｇは、セパレータ固定部材５００ｇの断面形状が異なることを除いて第１実施形態の管路内浄化装置１００と同様である。
【００８１】
図１３に示すように、セパレータ固定部材５００ｇは、その断面形状が、セパレータ２００と同じ対称軸に対して線対称であるように構成されている。セパレータ固定部材５００ｇは、第７実施形態（図１２参照）と同様のセパレータ接触部５１０ｆＬ，５１０ｆＲおよび非接触部５３０ｆＬ，５３０ｆＲと、セパレータ接触部５１０ｆＬ，５１０ｆＲ間に非接触部５３０ｆＬ，５３０ｆＲを介して配置された管路接触部５２０ｇＬ，５２０ｇＲと、管路接触部５２０ｇＬ，５２０ｇＲ間に配置された第１実施形態（図３参照）と同様の非接触部５３０とを含む。
【００８２】
セパレータ固定部材５００ｇも上述の実施形態と同様、管路９１０内に配設される前において、セパレータ接触部５１０ｆＬ，５１０ｆＲが、それらが接触すべきセパレータ２００の両側部幅よりも離間するように成形されていてもよいし、図１３に示された形状（管路９１０内に収まる形状）で成形されていてもよい。さらに、管路接触部５２０ｇＬ，５２０ｇＲと管路９１０の上部内壁面との間、および／またはセパレータ接触部５１０ｆＬ，５１０ｆＲとセパレータ２００両側部との間に、接着剤が介在させられているか否かを問わない。
【００８３】
また、本実施形態においては、非接触部５３０ｆＬ，５３０ｆＲおよび非接触部５３０の太さ（セパレータ２００の延在方向の幅）は一様に形成されていてもよいし、第５実施形態（図９参照）と同様に、非接触部５３０ｆＬ，５３０ｆＲの当該太さがセパレータ２００両側部から最上部の非接触部５３０に近づくにつれ大きくなるように形成されてもよい。
【００８４】
［第９実施形態］
図１４は、第９実施形態の管路内浄化装置の模式的断面図であり、第１実施形態の図３に対応する。図１４に示す管路内浄化装置１００ｈは、セパレータ２００ｈおよびセパレータ固定部材５００ｈの一部の断面形状が異なることを除いて、第１実施形態の管路内浄化装置１００と同様である。
【００８５】
セパレータ２００ｈは、第１実施形態（図３参照）と同様の支持部２１０と、仕切部２５０ｈとを含む。仕切部２５０ｈは、管路９１０の半径より大きい曲率半径を有する曲面を有する湾曲形状である。仕切部２５０ｈには、第１実施形態の仕切部２５０と同様に、透水孔２５４ｈが穿設されている。セパレータ２００ｈの最上点の水平位置の、当該軸心Ｏの水平位置からの落差Ｅ、および浄化部９１１の最狭部の高さＮも、第１実施形態と同様に設定される。
【００８６】
セパレータ固定部材５００ｈは、セパレータ接触部５１０ｈＬ，５１０ｈＲと、第１実施形態（図３参照）と同様の管路接触部５２０Ｌ，５２０Ｒと、非接触部５３０とを含む。セパレータ接触部５１０ｈＬ，５１０ｈＲは、セパレータ２００ｈの仕切部２５０ｈの両側部の形状に応じた形状を有することにより、当該両側部に接触する。
このように、セパレータ固定部材５００ｈは、セパレータ２００ｈと管路９１０の上部内壁面との間に介在し、セパレータ接触部５１０ｈＬ，５１０ｈＲと管路接触部５２０Ｌ，５２０Ｒとにおいてそれぞれセパレータ２００ｈと管路９１０の上部内壁面とに接触することにより、セパレータ２００ｈを管路９１０内に固定することができる。
【００８７】
セパレータ固定部材５００ｈも上述の実施形態と同様、管路９１０内に配設される前において、セパレータ接触部５１０ｈＬ，５１０ｈＲが、それらが接触すべきセパレータ２００ｈの両側部幅よりも離間するように成形されていてもよいし、図１４に示された形状（管路９１０内に収まる形状）で成形されていてもよい。さらに、管路接触部５２０Ｌ，５２０Ｒと管路９１０の上部内壁面との間、および／またはセパレータ接触部５１０ｈＬ，５１０ｈＲとセパレータ２００ｈ両側部との間に、接着剤が介在させられているか否かを問わない。さらに、管路接触部５２０Ｌ，５２０Ｒおよび非接触部５３０の太さ（セパレータ２００の延在方向の幅）は一様に形成されていてもよいし、第５実施形態（図９参照）と同様に、管路接触部５２０Ｌ，５２０Ｒの当該太さがセパレータ２００ｈ両側部から最上部の非接触部５３０に近づくにつれ大きくなるように形成されてもよい。
【００８８】
［担体の収容態様が異なる変形例］
上記の第１実施形態から第９実施形態において、担体４００がセパレータ２００，２００ｈに接着剤で固定される例を挙げたが、担体４００がセパレータ内に収容される態様はこれに限定されない。以下において、担体の収容態様が異なる第１変形例から第３変形例について述べる。第１実施形態から第９実施形態は、それぞれ、第１変形例から第３変形例と組み合わせられることができる。
【００８９】
［第１変形例］
図１５は、第１変形例の管路内浄化装置の模式的外観斜視図であり、第１実施形態の図２に対応する。図１５に示す管路内浄化装置１００ｉは、担体４００が担体固定部材３００ｉを介してセパレータ２００に固定されることを除いて、第１実施形態と同様である。
【００９０】
本実施形態では、担体固定部材３００ｉは、変形矩形状の閉断面を構成するように形成されており、担体４００の外表面（本実施形では、上面と左右両側面）を覆うように保持する。担体固定部材３００ｉの奥行（セパレータ２００の延在方向の長さ）は、担体４００を良好に保持する観点、担体４００の表面の露出部分を確保する観点などから適宜設定される。本実施形態では、当該奥行きは、管路９１０の内周の直径の４％で構成される。
なお、担体固定部材３００ｉはその全体において、同一の奥行を有してよい。
【００９１】
なお、担体固定部材３００ｉの形状は、図１５に記載されたものに限定されず、少なくともセパレータ２００の凹曲面２１１と担体４００との間に介在し、担体４００を保持する形状であればよい。これによって、担体固定部材３００ｉを介して担体４００がセパレータ２００の凹曲面２１１に固定される。担体固定部材３００ｉの、凹曲面２１１と対向する面は、凹曲面２１１に沿う曲面のみで構成されていてよい。あるいは、担体固定部材３００ｉと凹曲面２１１とには、双方が互いに係止して固定される係止部が形成されていてもよい。
【００９２】
管路９１０の軸心方向において、担体固定部材３００ｉが設けられる箇所および間隔は特に限定されない。たとえば、１本の管路９１０に対し、軸心方向両端部の２箇所、当該両端部と中央部との３箇所、またはそれ以上の箇所で設けられてよい。
【００９３】
担体固定部材３００ｉは、樹脂で構成されることができる。樹脂の例としては、塩化ビニル系樹脂およびオレフィン系樹脂などの熱可塑性樹脂、および、エポキシ系樹脂および不飽和ポリエステル系樹脂などの熱硬化性樹脂などが挙げられる。樹脂は、ガラス繊維、カーボン繊維などの繊維材料で強化された、複合材つまりＦＲＰ（繊維強化プラスチック）の態様であってもよい。また、担体固定部材３００ｉは、セパレータ２００と同じ材料で構成されてもよいし、異なっていてもよい。担体固定部材３００ｉは、射出成形によって製造することができる。また、ＦＲＰの場合、ハンドレイアップ法、レジントランスファー成形法（ＲＴＭ）法などによって製造することができる。
【００９４】
担体固定部材３００ｉは、セパレータ２００の凹曲面２１１との間に接着剤を介していてよい。接着剤は、支持部２１０の材質と担体固定部材３００ｉの材質とを考慮し、当業者が適宜決定することができる。たとえば、スチレン−ブタジエンを主成分とするゴム質接着剤、溶剤系接着剤などが挙げられる。
【００９５】
［第２変形例］
図１６は、第２変形例の管路内浄化装置の模式的断面図であり、第１実施形態の図３に対応する。
【００９６】
図１６に示す管路内浄化装置１００ｊは、セパレータ２００ｊと、担体固定部材３００ｊと、担体４００ｊと、第１実施形態と同様のセパレータ固定部材５００とを含む。担体固定部材３００ｊは、樹脂製のビスである。セパレータ２００ｊは、ビス孔を有することを除いて、第１実施形態のセパレータ２００と同じである。セパレータ２００ｊのビス孔は、担体固定部材３００ｊのビス山が螺合可能となるように形成されている。さらに、担体４００ｊにも、ビス孔が穿設されている。
【００９７】
このような構成により、担体４００ｊが担体固定部材３００ｊによってセパレータ２００ｊ内に固定される。本変形例では、担体固定部材３００ｊによって機械的にセパレータ２００ｊに固定されるため、接着剤を必ずしも要しない。しかしながら、安定的な固定のため、担体４００ｊ表面と支持部２１０ｊの凹曲面２１１ｊとの間、および／または担体固定部材３００ｊと支持部２１０ｊのビス孔壁との間に接着剤を介していることが好ましい。
【００９８】
［第３変形例］
図１７は、第３変形例の管路内浄化装置の模式的断面図であり、第１実施形態の図３に対応する。
【００９９】
図１７に示す管路内浄化装置１００ｋは、セパレータ２００ｋと、担体４００ｋと、第１実施形態と同様のセパレータ固定部材５００とを含む。セパレータ２００ｋは、支持部２１０ｋと仕切部２５０ｋを含む。支持部２１０ｋと仕切部２５０ｋとは、一体形成されている。図１７に示すように、セパレータ２００ｋの断面形状は、管路９１０の軸心Ｏと管路９１０の最下点を通る直線を軸として線対称である。
【０１００】
支持部２１０ｋは、平板状部材であり、管路９１０の下部内壁に接触する。
仕切部２５０ｋは、透水孔２５４ｋが形成された変形板状の有孔部材である。仕切部２５０ｋは、左右両側部より中央部（つまり対象軸上の部分）が下位となる形状で構成される。本変形例においては、仕切部２５０ｋは、対称軸上の最も低い位置に流速確保部２５１ｋを有し、対称軸に近い方から遠い方に向かって、一対の傾斜部２５５ｋが形成される。一対の傾斜部２５５ｋは、それぞれ、セパレータ２００ｋの延在方向に並行して列設される。
【０１０１】
仕切部２５０ｋは、図１７に示す平板状であってもよいし、下に凸となる湾曲板状であってもよい。
傾斜部２５５ｋには、図１７に示すように、透水孔２５４ｋが穿設されている。また、傾斜部２５５ｋは、図１７に示すように、流速確保部２５１ｋから管路９１０内壁に向かい、当該内壁面に漸次沿う形状で立ち上がるように形成される。傾斜部２５５ｋは、図１７に示す平板状であってもよいし、図１７に示した傾斜部２５５ｋの平坦面より下方向に凸となるように、流速確保部２５１ｋから滑らかに連続する傾斜湾曲板状であってもよい。
【０１０２】
セパレータ２００ｋ内（浄化部９１１を構成する空間）において、担体４００ｋは、セパレータに固定されることなく充填されていてよい。この場合、担体４００ｋは多数の小片、たとえばキューブ状の小片であってよい。
【０１０３】
［セパレータの構成態様が異なる変形例］
上記の第１実施形態から第９実施形態、および上記の第１変形例から第３変形例において、セパレータ２００，２００ｈ，２００ｊ，２００ｋは、支持部２１０，２１０ｊ，２１０ｋと仕切部２５０，２５０ｈ，２５０ｋとが一体成形されたものを挙げたが、セパレータは、別個独立した部材が組み合わせられることにより構成されてもよい。
以下において、セパレータの構成態様が異なる第４変形例について述べる。第１実施形態から第９実施形態および第１変形例から第３変形例は、それぞれ、第４変形例と組み合わせられることができる。
【０１０４】
［第４変形例］
図１８は、第４変形例の管路内浄化装置の模式的断面図であり、第１実施形態の図３に対応する。図１８に示す管路内浄化装置１００ｌは、セパレータ２００ｌと、第１実施形態と同様の担体４００およびセパレータ固定部材５００とを含む。
セパレータ２００ｌは、支持部材２１０ｌと仕切部材２５０ｌとから構成される。支持部材２１０ｌと仕切部材２５０ｌとは、両側部同士で結合されている。図１８に示すように、セパレータ２００ｌの断面形状は、管路９１０の軸心Ｏと管路９１０の最下点を通る直線を軸として線対称である。かつ、セパレータ２００ｌは、透水孔２５４を有する部分を除き、閉断面を有するように構成されている。つまり、管路９１０の最下部が開口されていない。
【０１０５】
支持部材２１０ｌは、図１８に示すように、両側部に嵌合部２１７ｌを有する湾曲板状部材である。嵌合部２１７ｌは、支持部材２１０ｌの両側部において、セパレータ２００ｌの延在方向に並行して列設される。嵌合部２１７ｌは、凹曲面２１１ｌに突設された雄型に形成されており、後述の仕切部材２５０ｌの嵌合部２５７ｌに嵌着させられている。
【０１０６】
仕切部材２５０ｌは、対称軸上に第１実施形態（図３参照）と同様の流速確保部２５１を有し、対称軸に近い方から遠い方に向かって、第１実施形態と同様の一対の平面部２５３および一対の傾斜部２５５と、一対の嵌合部２５７ｌがこの順で形成される。一対の平面部２５３、一対の傾斜部２５５および一対の嵌合部２５７ｌは、それぞれ、セパレータ２００の延在方向に並行して列設される。平面部２５３には、第１実施形態と同様の透水孔２５４が穿設されている。両側部に形成された嵌合部２５７ｌは雌型に形成されており、支持部材２１０ｌの嵌合部２１７ｌと嵌合している。
【０１０７】
本変形例では、嵌合部２１７ｌと嵌合部２５７ｌとは、構造上、着脱可能な形状に構成されているため、支持部材２１０ｌと仕切部材２５０ｌとの間には接着剤を必要としないが、接着剤を補助的に介在させることを特に除外しない。
【０１０８】
［実施形態および変形例によって奏される効果］
管路内浄化装置１００，１００ｆ，〜，１００ｌは、セパレータ固定部材５００，５００ｆ，５００ｇ，５００ｈが、管路９１０の下部内壁面上に配設されるべきセパレータ２００，２００ｈ，２００ｊ，２００ｋ，２００ｌと、管路９１０の上部内壁面との間に介在するため、内壁に凹部も凸部も形成されていない通常の管路９１０に対して安定的に固定することができる。
【０１０９】
管路内浄化装置１００，１００ｆ，１００ｈ，〜，１００ｌは、セパレータ固定部材５００，５００ｆ，５００ｈの管路接触部５２０Ｌ，５２０Ｒ，５２０ｆが管路９１０の上部内壁面に沿う曲面を有しているため、管路接触部５２０Ｌ，５２０Ｒ，５２０ｆと、管路９１０の上部内壁面との接地面積を大きくとることができる。このため、管路内浄化装置１００，１００ｆ，１００ｈ，〜，１００ｌを、管路９１０に対してより安定的に固定することができる。
【０１１０】
管路内浄化装置１００ａ，〜，１００ｅは、セパレータ固定部５００ａ，〜，５００ｅが、セパレータ２００の連結部分において、管路９１０の上部内壁面との間に介在する。このため、管路内浄化装置１００ａ，〜，１００ｅを、内壁に凹部も凸部も形成されていない通常の管路９１０に対して安定的に固定することができる。
【０１１１】
管路内浄化装置１００ａ，〜，１００ｄは、継手部５５０ａとセパレータ固定部５００ａ，〜，５００ｄとが一体成形されているため、管路内浄化装置１００ａ〜，１００ｄの固定作業が効率的となる。
【０１１２】
管路内浄化装置１００ａ，〜，１００ｅは、管路接触部５２０ａＬ，５２０ａＲ，５２０ｂ，５２０ｃＬ，５２０ｃＲ，５２０ｄＬ，５２０ｄＲが管路９１０の上部内壁面に沿う曲面を有しているため、管路９１０の上部内壁面との接地面積を大きくとることができる。このため、管路内浄化装置１００ａ，〜，１００ｅを、管路９１０に対してより安定的に固定することができる。
【０１１３】
管路内浄化システム９００は、管路９１０と、管路内浄化装置１００，１００ａ，〜，１００ｌとを含むため、管路内浄化装置１００，１００ａ，〜，１００ｌが管路９１０に対して安定的に固定された管路内浄化システムとなる。
【０１１４】
［実施形態および変形例における各部と請求項の各構成要素との対応関係］
実施形態および変形例における管路内浄化装置１００，１００ａ，〜，１００ｌは、請求項における「管路内浄化装置」に相当し、セパレータ２００，２００ｈ，２００ｊ，２００ｋ，２００ｌは「セパレータ」に相当し、支持部２１０，２１０ｊおよび支持部材２１０ｌは「支持部」に相当し、仕切部２５０，２５０ｈおよび仕切部材２５０ｌは「仕切部」に相当し、透水孔２５４，２５４ｋ，２５４ｌは「孔」に相当し、担体４００，４００ｊ，４００ｋは「担体」に相当し、セパレータ固定部材５００，５００ｆ，５００ｇ，５００ｈは「セパレータ固定部材」に相当し、セパレータ接触部５１０Ｌ，５１０ｆＬ，５１０ｈＬは「一方のセパレータ接触部」に相当し、セパレータ接触部５１０Ｒ，５１０ｆＲ，５１０ｈＲ「他方のセパレータ接触部」に相当し、セパレータ固定部５００ａ，〜，５００ｅは「セパレータ固定部」に相当し、管路接触部５２０Ｌ，５２０Ｒ，５２０ａＬ，５２０ａＲ，５２０ｂ，５２０ｃＬ，５２０ｃＲ，５２０ｄＬ，５２０ｄＲ，５２０ｆ，５２０ｇＬ，５２０ｇＲは「管路接触部」に相当し、継手部５５０ａ，５５０ｅは「継手部」に相当し、管路内浄化システム９００は「管路内浄化システム」に相当し、管路９１０は「管路」に相当する。
【０１１５】
本発明の好ましい実施形態は上記の通りであるが、本発明はそれらのみに限定されるものではなく、本発明の趣旨と範囲とから逸脱することのない様々な実施形態が他になされる。さらに、本実施形態において述べられる作用および効果は一例であり、本発明を限定するものではない。
【符号の説明】
【０１１６】
１００，１００ａ，〜，１００ｌ  管路内浄化装置
２００，２００ｈ，２００ｊ，２００ｋ，２００ｌ  セパレータ
２１０，２１０ｊ，２１０ｋ  支持部
２１０ｌ  支持部材
２５０，２５０ｈ，２５０ｋ  仕切部
２５０ｌ  仕切部材
２５４，２５４ｋ，２５４ｌ  透水孔
４００，４００ｊ，４００ｋ  担体
５００，５００ｆ，５００ｇ，５００ｈ  セパレータ固定部材
５００ａ，〜，５００ｅ  セパレータ固定部
５１０Ｌ，５１０Ｒ，５１０ｆＬ，５１０ｆＲ，５１０ｈＬ，５１０ｈＲ  セパレータ接触部
５２０Ｌ，５２０Ｒ，５２０ａＬ，５２０ａＲ，５２０ｂ，５２０ｃＬ，５２０ｃＲ，５２０ｄＬ，５２０ｄＲ，５２０ｆ，５２０ｇＬ，５２０ｇＲ  管路接触部
５５０ａ，５５０ｅ  継手部
９００  管路内浄化システム
９１０  管路
【図１】
2016087491.tif 000003
【図２】
2016087491.tif 000004
【図３】
2016087491.tif 000005
【図４】
2016087491.tif 000006
【図５】
2016087491.tif 000007
【図６】
2016087491.tif 000008
【図７】
2016087491.tif 000009
【図８】
2016087491.tif 000010
【図９】
2016087491.tif 000011
【図１０】
2016087491.tif 000012
【図１１】
2016087491.tif 000013
【図１２】
2016087491.tif 000014
【図１３】
2016087491.tif 000015
【図１４】
2016087491.tif 000016
【図１５】
2016087491.tif 000017
【図１６】
2016087491.tif 000018
【図１７】
2016087491.tif 000019
【図１８】
2016087491.tif 000020